(57)【特許請求の範囲】
【請求項１】
吊り下げ具を有する平板状の背板と、この背板に固定されこの背板とともに箱状収容部を形成する収容部形成部材とを備えた陳列用具であって、上記箱状収容部の底板を背板の下端部より上側に配設し、上記箱状収容部の底板の左右両側面からそれぞれ、下方に折り曲げ自在な突片を突設し、上記背板の吊り下げ具を被吊り下げ体に吊り下げる吊り下げ態様と、上記突片を下方に折り曲げこの折り曲げた突片の下端部を被載置面に当接させて陳列用具を支受する支受態様とのいずれかの態様を選択しうるように構成したことを特徴とする陳列用具。
【請求項２】
上記吊り下げ具が、折り曲げ自在な金属製の帯状薄板を用いて作製されている請求項１記載の陳列用具。
【発明の詳細な説明】
【０００１】
【発明の属する技術分野】
本発明は、化粧料（テスター用化粧料等を含む）等の各種の陳列品を店頭等に陳列する陳列用具に関するものである。
【０００２】
【従来の技術】
従来から、口紅等の各種化粧料を店頭等に陳列する場合には、図１２に示すような陳列台４１がよく用いられている。この陳列台４１は、ひな壇形に形成されており、各段の上面に多数のテスター品挿通孔４２が穿設されている。そして、サンプル保持体４３の下側に口紅等のテスター品（試供品）４４が保持され、上側に色見本ダミー４５が取着されたテスター化粧品４６を多数（各色ごとに）用意し、上記テスター品挿通孔４２に、上記テスター化粧品４６の下部（テスター品４４の部分）を挿通させて陳列台４１上に載置し、多数並べて陳列するようにしている。
【０００３】
一方、同じ店頭等でも、他の化粧料の陳列スペースとの関係で、上記テスター化粧品４６を吊り下げ用透明ケース等（図示せず）に収容し、壁面等に吊り下げて陳列することがよくある。また、陳列の形態を変えて顧客の注意をひくこともよく行われている。このため、上記のような陳列台４１や吊り下げ用透明ケース等がそれぞれ製作されている。
【０００４】
【発明が解決しようとする課題】
しかしながら、上記のような陳列台４１や吊り下げ用透明ケース等を用いる場合には、これらを別々に製作しなければならず、製作費が高価になり、コストアップにつながる。
【０００５】
本発明は、このような事情に鑑みなされたもので、製作費が非常に安価な陳列用具の提供をその目的とする。
【０００６】
【課題を解決するための手段】
上記の目的を達成するため、本発明の陳列用具は、吊り下げ具を有する平板状の背板と、この背板に固定されこの背板とともに箱状収容部を形成する収容部形成部材とを備えた陳列用具であって、上記箱状収容部の底板を背板の下端部より上側に配設し、上記箱状収容部の底板の左右両側面からそれぞれ、下方に折り曲げ自在な突片を突設し、上記背板の吊り下げ具を被吊り下げ体に吊り下げる吊り下げ態様と、上記突片を下方に折り曲げこの折り曲げた突片の下端部を被載置面に当接させて陳列用具を支受する支受態様とのいずれかの態様を選択しうるように構成したという構成をとる。
【０００７】
すなわち、本発明の陳列用具は、吊り下げ具を有する平板状の背板と、この背板に固定されこの背板とともに箱状収容部を形成する収容部形成部材とを備えており、上記箱状収容部の底板を背板の下端部より上側に配設している。そして、上記箱状収容部の底板の左右両側面からそれぞれ、下方に折り曲げ自在な突片を突設し、上記背板の吊り下げ具を被吊り下げ体に吊り下げる吊り下げ態様と、上記突片を下方に折り曲げこの折り曲げた突片の下端部を被載置面に当接させて本発明の陳列用具を支受する支受態様とのいずれかの態様を選択しうるように構成している。このように、本発明の陳列用具では、これを吊り下げる吊り下げ態様にすることも、上記折り曲げた突片を被載置面に載置してこの突片で支受する支受態様にすることもできるため、１種類の陳列用具を製作するだけでよく、製作費が安価になる。しかも、背板と、この背板とともに箱状収容部を形成する収容部形成部材とを備え、上記箱状収容部の底板の左右両側面からそれぞれ突片を下方に折り曲げ自在に突設しているだけであり、さらに製作費が安価になる。
【０００８】
本発明において、上記吊り下げ具を、折り曲げ自在な金属製の帯状薄板を用いて作製している場合には、被吊り下げ体の形状に合わせて上記吊り下げ具を折り曲げることにより、各種形状の被吊り下げ体に対して吊り下げ可能となる。
【０００９】
【発明の実施の形態】
つぎに、本発明の実施の形態を図面にもとづいて詳しく説明する。
【００１０】
図１は本発明の陳列用具の一実施の形態を示している。図において、１は平板状体からなる紙製の背板である。２は透明プラスチック製のシート体３（図５参照）を折り曲げてなる折り曲げ体（収容部形成部材）であり、この折り曲げ体２と上記背板１とで箱状収容部４が形成されている。
【００１１】
上記背板１には、図２〜図４に示すように、下端部分に所定間隔をあけて横一直線に配設された３つの横向き切り目６と、中間部の左右両側部分に配設された左右一対の縦向き切り目７とが形成されている。また、上記背板１には、その上部の裏面に左右一対のフック８が接着固定されている。これら両フック片８は、金属製の帯状薄板からなり、上記背板１の上部の裏面に接着固定される下側部分８ａと、所望の湾曲形状（例えば、円弧形状，Ｖ字形状，コ字形状等）に折り曲げうる上側部分８ｂとからなる。
【００１２】
上記シート体３は、図５に示すように、長方形状の前板１１と、この前板１１の底面から第１折り曲げ線１２を介して延設される長方形状の底板１３と、この底板１３の左右両側面から第２折り曲げ線１４を介して延設される長方形状の支受用突片１５と、上記前板１１の左右両側面から第３折り曲げ線１６を介して延設される略台形状の左右両側板１７とを備えており、上記底板１３の底面の所定位置に（上記背板１の各横向き切り目６に対応する位置）から第４折り曲げ線１８を介して３つの長方形状の第１固定用突片１９が延設されている。また、上記右側板１７の右側面および左側板１７の左側面からそれぞれ第５折り曲げ線２０を介して第２固定用突片２１が延設されている。そして、上記各第１固定用突片１９が背板１の各横向き切り目６に挿通され、上記両第２固定用突片２１が背板１の両縦向き切り目７に挿通される。また、上記第１〜第５折り曲げ線１２，１４，１６，１８，２０はそれぞれ、上下に折り曲げ自在に形成されている。図において、２２は上記両第５折り曲げ線２０の下側に形成された切欠き部であり、上記背板１の両縦向き切り目７の下側部分７ａに着脱自在に係合される（図１０参照）。
【００１３】
上記シート体３を折り曲げて折り曲げ体２を製作する場合には、前板１１に対して底板１３を後方に直角に折り曲げ、前板１１に対して左右両側板１７を後方に直角に折り曲げる。これにより、図６〜図８に示す折り曲げ体２を製作することができる。そののち、この折り曲げ体２の各第１固定用突片１９を背板１の各横向き切り目６に挿通し、両第２固定用突片２１を背板１の両縦向き切り目７に挿通し、上記各第１固定用突片１９を上方に折り曲げて抜け止め状に固定し、両第２固定用突片２１を左右両側方のいずれかに折り曲げて抜け止め状に固定することにより、上記折り曲げ体２と背板１とで箱状収容部４を形成することができる。
【００１４】
上記のようにして、背板１に箱状収容部４を形成したのち、陳列用具を支受態様と吊り下げ態様とのいずれかの態様にすることができる。すなわち、支受態様にする場合には、図９および図１０に示すように、上記折り曲げ体２の両支受用突片１５を下方に直角に折り曲げ（図６の２点鎖線参照）、背板１の下端面および両支受用突片１５の下端面を被載置面２５に当接状に載置することを行う。これにより、両支受用突片１５で、背板１を略垂直姿勢にした状態で支受することができる。一方、吊り下げ態様にする場合には、図１１に示すように、上記折り曲げ体２の両支受用突片１５を上方に直角に折り曲げ（図６の１点鎖線参照）、背板１の両フック８を被吊り下げ体２６に吊り下げることを行う。このとき、上記両支受用突片１５で、箱状収容部４の底板１３上に載置するボトルタイプの陳列品（図示せず）が底板１３の外側に移動しようとするのを阻止することができる。
【００１５】
このように、上記実施の形態では、陳列用具を支受態様にすることも、吊り下げ態様にすることもできるため、１種類の陳列用具を製作するだけでよく、製作費が安価になる。しかも、陳列用具は、背板１と、透明プラスチック製のシート体３を折り曲げてなる折り曲げ体２とで構成されており、この折り曲げ体２の底板１３の左右両側面から支受用突片１５を上下に折り曲げ自在に突設しただけの簡単な構造であり、さらに製作費が安価になる。また、輸送時等には、背板１から折り曲げ体２を取り外し、この折り曲げ体２をシート体３にすることにより、嵩張らなくなる。
【００１６】
なお、上記実施の形態では、折り曲げ体２の底板１３にボトルタイプの陳列品を載置しているが、これに限定するものではなく、上記底板１３に孔を開け、この孔に、図１２に示すような口紅等のテスター品（試供品）４４を挿通して陳列することもできる。
【００１７】
【発明の効果】
以上のように、本発明の陳列用具によれば、これを吊り下げる吊り下げ態様にすることも、上記折り曲げた突片を被載置面に載置してこの突片で支受する支受態様にすることもできるため、１種類の陳列用具を製作するだけでよく、製作費が安価になる。しかも、背板と、この背板とともに箱状収容部を形成する収容部形成部材とを備え、上記箱状収容部の底板の左右両側面からそれぞれ突片を下方に折り曲げ自在に突設しているだけであり、さらに製作費が安価になる。
【００１８】
本発明において、上記吊り下げ具を、折り曲げ自在な金属製の帯状薄板を用いて作製している場合には、被吊り下げ体の形状に合わせて上記吊り下げ具を折り曲げることにより、各種形状の被吊り下げ体に対して吊り下げ可能となる。
【図面の簡単な説明】
【図１】本発明の陳列用具の一実施の形態を示す斜視図である。
【図２】背板の正面図である。
【図３】上記背板の裏面図である。
【図４】上記背板の平面図である。
【図５】シート体の正面図である。
【図６】折り曲げ体の側面図である。
【図７】上記折り曲げ体の平面図である。
【図８】上記折り曲げ体の断面図である。
【図９】陳列用具の支受態様を示す側面図である。
【図１０】上記陳列用具の支受態様を示す断面図である。
【図１１】上記陳列用具の吊り下げ態様を示す側面図である。
【図１２】従来の陳列台を示す斜視図である。
【符号の説明】
１  背板
２  折り曲げ体
４  箱状収容部
１３  底板
１５  支受用突片
【図１】
0003636957.tif 000002
【図２】
0003636957.tif 000003
【図３】
0003636957.tif 000004
【図４】
0003636957.tif 000005
【図５】
0003636957.tif 000006
【図６】
0003636957.tif 000007
【図７】
0003636957.tif 000008
【図８】
0003636957.tif 000009
【図９】
0003636957.tif 000010
【図１０】
0003636957.tif 000011
【図１１】
0003636957.tif 000012
【図１２】
0003636957.tif 000013